(57)【要約】      （修正有）【課題】穴をなくすことにより水稲用育苗箱の底面から苗の根が出ず、且つ、水稲用育苗箱内で苗の根の絡みが必要以上に強くならず、且つ、田植機に適する大きさの苗を育苗できる穴無し水稲用育苗箱及びそれを利用した種まき方法を提供する。【解決手段】穴無し水稲用育苗箱に次の手段を採用する。第１に、田植機用のマット苗を育苗する水稲用育苗箱とする。第２に、当該水稲用育苗箱の底面が、透水穴を形成していない穴無し平面とされる。第３に、当該水稲用育苗箱の大きさが、田植機に適合する水稲用育苗箱の規格に合致する縦横外寸及び縦横内寸を有する。第４に、当該水稲用育苗箱の内側の深さが、規格より２ｍｍ深いものとする。【選択図】図３
2014110767.tif 000002
【特許請求の範囲】
【請求項１】
田植機用のマット苗を育苗する水稲用育苗箱において、
当該水稲用育苗箱の底面が、透水穴を形成していない穴無し平面とされるとともに、
当該水稲用育苗箱の大きさが、田植機に適合する水稲用育苗箱の規格に合致する縦横外寸及び縦横内寸を有するとともに、
当該水稲用育苗箱の内側の深さが、規格より２ｍｍ深いものとしたことを特徴とする
穴無し水稲用育苗箱。
【請求項２】
田植機用のマット苗を育苗する水稲用育苗箱を、当該水稲用育苗箱の底面が、透水穴を形成していない穴無し平面とされるとともに、当該水稲用育苗箱の大きさが、田植機に適合する水稲用育苗箱の規格に合致する縦横外寸及び縦横内寸を有するとともに、当該水稲用育苗箱の内側の深さが、規格より２ｍｍ深いものとした穴無し水稲用育苗箱をベルトコンベヤーで搬入し、当該水稲用育苗箱の内部へ自動的に２７ｍｍの床土を入れ、次に種を入れ、その後、５ｍｍの掛け土を被せた後、ベルトコンベヤーより当該水稲用育苗箱を搬出することを特徴とする穴無し水稲用育苗箱への種まき方法。
【発明の詳細な説明】
【技術分野】
【０００１】
本発明は、水稲用の苗を育苗させるために使用する穴無し水稲用育苗箱及び育苗箱に種をまく方法に関するものである。
【背景技術】
【０００２】
従来の水稲用の苗を育苗させるための育苗箱には、特許文献１や図５及び図６に示すように水稲用育苗箱１の底面２に透水孔や細孔などと称される穴３が多数形成されているのが通常である。その上、水稲用育苗箱１は通常ビニールハウスの地面の上に一箱ごと並べて使用するものであるため、上記のように底面に多数の穴３が空けられた水稲用育苗箱１にて育苗させると、根が底面２の穴３より出てしまい、水稲用育苗箱１の下の地面に差し込んでしまう。このような状態となると苗を水稲用育苗箱１より取り出すのに非常に難儀であった。絡まった苗を水稲用育苗箱１から取り出すには、はみ出した根を切り取らなければならない場合もあった。
【０００３】
そこで、プール育苗法という方法が考えられた。それは水稲用育苗箱１の下にビニールシートを敷き、そこに水を張り、その中に多数の穴３を形成した水稲用育苗箱１を浸して使用するものであった。このような水稲用育苗箱１であっても特許文献２に示されるように、底面２には多数の穴３があるため、穴３より根が出てしまい、苗の取り出しに若干の改善は見られるものの、取り出す際の不便さの根本的解消にはなっていなかった。
【先行技術文献】
【特許文献】
【０００４】
【特許文献１】実開平７−30634号公開実用新案公報
【特許文献２】特開平９−１４１７０３号公開特許公報
【発明の概要】
【発明が解決しようとする課題】
【０００５】
上記問題点を解決するため、穴無し水稲用育苗箱の穴より根が出てしまうことを防止するため、穴無しの水稲用育苗箱を考えた。しかし、従来の穴のある水稲用育苗箱と同じサイズであると根が水稲用育苗箱内で必要以上に強く絡まってしまい、田植機の植え付け爪で、苗を掻き取って挟み持つことの障害となってしまった。
【０００６】
そこで、水稲用育苗箱の深さを深くし根の絡みの強さを緩和しようとしたが、マット苗の大きさが大きくなりすぎ、田植機に適合するものとはならなかった。
【０００７】
本発明は、水稲用育苗箱より下方に根が出てしまうことがなく、且つ、水稲用育苗箱の中での根の絡みが必要以上に強くならず計画的に適正な強度で絡めることができ、その結果、苗が取り出しやすく、そのまま田植機に乗せることができる大きさで、田植機の田植えに適した苗を育苗できる穴無し水稲用育苗箱を提供することを目的とする。
【課題を解決するための手段】
【０００８】
上記課題を解決するため、第１の発明は、穴無し水稲用育苗箱に次の手段を採用する。
第１に、田植機用のマット苗を育苗する水稲用育苗箱とする。
第２に、当該水稲用育苗箱の底面が、透水穴を形成していない穴無し平面とされる。  第３に、当該水稲用育苗箱の大きさが、田植機に適合する水稲用育苗箱の規格に合致する縦横外寸及び縦横内寸を有する。
第４に、当該水稲用育苗箱の内側の深さが、規格より２ｍｍ深いものとした。
【０００９】
第２の発明は、第１の発明である穴無し水稲用育苗箱への種まき方法に関するもので、次の手段を採用する。
第１に、第１の発明に係る水稲用育苗箱を用いる。
第２に、当該水稲用育苗箱をベルトコンベヤーで搬入する。
第３に、当該水稲用育苗箱の内部へ自動的に２７ｍｍの床土を入れる。
第４に、次に種を入れる。
第５に、その後、５ｍｍの掛け土を被せる。
第６に、その後、ベルトコンベヤーより当該水稲用育苗箱を搬出する。
【発明の効果】
【００１０】
第１の発明は、次の効果を有する。
第１に、水稲用育苗箱の底面が、透水穴を形成していない穴無し平面とされることにより、従来の様に底面の穴から苗の根が出て水稲用育苗箱の外側で根が絡まってしまうということがなくなり、苗を水稲用育苗箱から取り出しやすくなり、田植機への積み換えが容易となった。
第２に、水稲用育苗箱の底面が、透水穴を形成していない穴無し平面とされることにより、水持ちが良く育苗に手数のかからないものとなった。
第３に、水稲用育苗箱の内側の深さが、規格より２ｍｍ深いものとしたことにより、箱に床土を２ｍｍ分多く入れることができ、その結果、苗の根が従来の根より多く出て苗を丈夫にすることができた。田植機に設置したとき、植え付け爪は、適正に苗を掻き取って挟み持つことができるものとなった。
【００１１】
第２の発明の効果ではあるが、第１の発明を用いて種まきをおこなうことにより、上記効果を効率的に発揮することができるものとなった。
【図面の簡単な説明】
【００１２】
【図１】本発明に係る穴無し水稲用育苗箱を示す説明図であり、（Ａ）は平面図、（Ｂ）は正面図、（Ｃ）は左側面図である。
【図２】同中央横断面図
【図３】同部分拡大断面図
【図４】同使用状態を示す部分断面説明図
【図５】従来の水稲用育苗箱の部分平面説明図
【図６】同部分拡大断面図
【発明を実施するための形態】
【００１３】
以下、図示の実施例と共に本発明の実施の形態について説明する。図１は、本発明の実施例を示す穴無し水稲用育苗箱１を示す説明図であって、（Ａ）は平面図、（Ｂ）は正面図、（Ｃ）は左側面図である。
【００１４】
本発明に係る穴無し水稲用育苗箱１は、一般的に使用される田植機用のマット苗を育苗する水稲用育苗箱である。図２の中央横断面図及び図３の部分拡大断面図に示されるように当該水稲用育苗箱１の底面２には、図５の従来の水稲用育苗箱の部分平面説明図や図６の同部分拡大断面図に現れる穴３を形成していない穴無し平面とされている。
【００１５】
水稲用育苗箱１の素材は従来のプラスチック製のものを用いるが、これに限定されるものではない。水稲用育苗箱１の大きさは、田植機に適合する水稲用育苗箱の規格に合致する縦横外寸及び縦横内寸を有する。田植機に適合する水稲用育苗箱の規格は外寸横６００ｍｍ、外寸縦３００ｍｍ、内寸横５８０ｍｍ、内寸縦２８０ｍｍ、深さ３０ｍｍである。従って，本発明に係る水稲用育苗箱１の横壁５（図１（Ａ）の前後の壁）の外寸長Ｘ１は６００ｍｍ、内寸長Ｘ２は５８０ｍｍであり、縦壁４の外寸長Ｙ１は３００ｍｍ、内寸長Ｙ２は２８０ｍｍである。
【００１６】
当該水稲用育苗箱１の深さは、規格では３０ｍｍである。通常水稲用育苗箱１の材料の厚みが３ｍｍ程度あるため、従来の水稲用育苗箱１の外寸高さＨ１は３３ｍｍであり、内側の深さＨ２が３０ｍｍである。これに対し、本願発明における水稲用育苗箱１の内側の深さは、規格より２ｍｍ深いものとされている。即ち、内側の深さＨ４は３２ｍｍであり、水稲用育苗箱１の外寸高さＨ３は３５ｍｍである。
【００１７】
本願発明の特徴の一つが従来の内側の深さに対して２ｍｍ深くしたことである。従来の水稲用育苗箱１の深さより１ｍｍしか深くないものでは、穴無し水稲用育苗箱１の深さが不十分である。即ち、穴無し水稲用育苗箱１で生育した根が底面２に至ってしまい、底面２付近で必要以上に強く絡まってしまい、田植機に苗を設置したとき、田植機の植え付け爪で、苗を掻き取って挟み持つことの障害となってしまう。
【００１８】
他方、穴無し水稲用育苗箱１の内側の深さを深く取りすぎる、例えば、従来の水稲用育苗箱１の深さより３ｍｍ深いものとすると、苗の大きさが田植機に乗せる適正な大きさを超えてしまい、田植機を利用した田植えをおこなうことができなかったり、田植機が苗を抱えにくくなるという問題を生じるものであった。
【００１９】
以下、本発明に係る穴無し水稲用育苗箱１を用いた苗を育てる流れについて説明する。
種まき方法の実施には、図示されていない種まき装置を用いる。種まき装置には、水稲用育苗箱１を搬入搬出するベルトコンベヤーと、搬入されてきた穴無し水稲用育苗箱１に床土６、種７，及び掛け土８を投入する収納箱が装備されている。
【００２０】
種まき装置内に搬入されてきた穴無し水稲用育苗箱１には、先ず、自動的に２７ｍｍの床土６が投入される。穴無し水稲用育苗箱１の内側の深さは、２ｍｍ深くされているため、通常であれば掛け土８に５ｍｍを要するとすれば、床土６は２５ｍｍしか投入できないが、本発明に係る穴無し水稲用育苗箱１では、床土６を２ｍｍ分多く、即ち、床土量Ｈ５は２７ｍｍ入れることができるのである。床土６を２ｍｍ多く入れることによって苗の根が従来の根より多く出て苗を丈夫にする。
【００２１】
床土６が投入された後、種７が入り、その後に、掛け土量Ｈ６（これは通常の掛け土量である）５ｍｍの掛け土８が投入されて、種まきは終了する。種まきを終了した穴無し水稲用育苗箱１が、ベルトコンベヤーに載って種まき装置から出てくる。尚、床土６や掛け土８の落ちる量や種７の量は、自分で調整する。種７は、良く選別されたもので、イモチやバカナイ病の消毒済のものを選ぶことが必要である。
【００２２】
種まきが終了した穴無し水稲用育苗箱１は、ビニールハウスに運んで一箱ごとに並べ、上から水をたっぷりかける。水をかけると種７が少し出るときがある。その部分は手で掛け土８を補給してやる。穴無し水稲用育苗箱１は、穴３がないため、水持ちが良く手数がかからない利点もある。
【００２３】
その後、穴無し水稲用育苗箱１に、銀色か、その他の色のシートを被せて、ビニールハウスの中の温度を摂氏２５〜２６度になるようにする。シートの中の温度が上がっても３０度以上にならないように管理する。それ以上温度が上がると苗の芽が焼ける恐れがある。
【００２４】
４〜５日で苗が１〜２ｃｍ伸びる、そのようになったらシートを外す。そこから５０日位で田植えができる。当然のことながら常にハウスの温度や水やりの管理をしておく必要がある。以上の作業を早くやれば、いくらでも早く田植えができる。
【符号の説明】
【００２５】
１・・・・・・・・水稲用育苗箱
２・・・・・・・・底面
３・・・・・・・・穴
４・・・・・・・・縦壁
５・・・・・・・・横壁
６・・・・・・・・庄土
７・・・・・・・・種
８・・・・・・・・掛け土
Ｘ１、Ｙ１・・・・外寸長
Ｘ２、Ｙ２・・・・内寸長
Ｈ１、Ｈ３・・・・外寸高さ
Ｈ２、Ｈ４・・・・内側の深さ
Ｈ５・・・・・・・床土量
Ｈ６・・・・・・・掛け土量
【図１】
2014110767.tif 000003
【図２】
2014110767.tif 000004
【図３】
2014110767.tif 000005
【図４】
2014110767.tif 000006
【図５】
2014110767.tif 000007
【図６】
2014110767.tif 000008